(57)【特許請求の範囲】
【請求項１】
基台と、上記基台上に鉛直軸の周りを回転自在に設けた回転部と、上記回転部上に設けた患者診療台とを有する医療用診療装置において、
上記基台に対して上記回転部を回転する回転機構と、
上記基台に対する上記回転部の回転を禁止する回転禁止機構と、
上記回転機構の回転を上記基台と上記回転部の間に伝達し得る作動位置と上記回転機構の回転を上記基台と上記回転部の間に伝達し得ない解除位置との間で切り換える機構と、
電源スイッチと、
回転スイッチと、
手動スイッチと、
制御装置を備えており、
上記制御装置は、
上記電源スイッチがオフされている状態で、上記回転禁止機構により、上記基台に対する上記回転部の回転を禁止し、
上記電源スイッチがオンされている状態で、上記回転スイッチがオンされると、上記回転禁止機構を解除して上記回転部の回転を許可するとともに上記切り換える機構を解除位置から作動位置に切り換え、
上記電源スイッチがオンされている状態で、上記回転スイッチがオフされると、上記回転禁止機構を作動して上記回転部の回転を禁止するとともに上記切り換える機構を作動位置から解除位置に切り換え、
上記手動スイッチがオンされると、上記回転禁止機構を解除して上記回転部の回転を許可するとともに上記切り換える機構を解除位置に保つことを特徴とする医療用診療装置。
【発明の詳細な説明】
【０００１】
【発明の属する技術分野】
本発明は、医療用診療装置、特に患者用の回転診療台を備えた医療用診療装置に関する。
【０００２】
【従来の技術】
従来、医療用診療装置（例えば、歯科用診療装置や耳鼻科用診療装置）として、回転式の患者診療台を備えたものが知られている。このような患者診療台は、診療用の便宜等の理由から、手動で回転できるように構成することが望ましい。
【０００３】
【発明が解決しようとする課題】
しかし、何時でも自由に回転できる状態にしておくと、患者等が何気なく診療台にもたれ掛かったときに、この診療台が回転して患者等が転倒してしまう恐れがある。
【０００４】
そこで、本発明は、必要なときは手動で診療台を回転できるが、電源スイッチが入っているだけでは回転しない医療用診療台を提供することを目的とする。
【０００５】
【課題を解決するための手段】
この目的を達成するために、本発明の医療用診療装置は、
基台と、上記基台上に鉛直軸の周りを回転自在に設けた回転部と、上記回転部上に設けた患者診療台とを有する医療用診療装置において、上記基台に対して上記回転部を回転する回転機構と、上記基台に対する上記回転部の回転を禁止する回転禁止機構と、上記回転機構の回転を上記基台と上記回転部の間に伝達し得る作動位置と上記回転機構の回転を上記基台と上記回転部の間に伝達し得ない解除位置との間で切り換える機構と、電源スイッチと、回転スイッチと、手動スイッチと、制御装置を備えており、上記制御装置は、上記電源スイッチがオフされている状態で、上記回転禁止機構により、上記基台に対する上記回転部の回転を禁止し、上記電源スイッチがオンされている状態で、上記回転スイッチがオンされると、上記回転禁止機構を解除して上記回転部の回転を許可するとともに上記切り換える機構を解除位置から作動位置に切り換え、上記電源スイッチがオンされている状態で、上記回転スイッチがオフされると、上記回転禁止機構を作動して上記回転部の回転を禁止するとともに上記切り換える機構を作動位置から解除位置に切り換え、上記手動スイッチがオンされると、上記回転禁止機構を解除して上記回転部の回転を許可するとともに上記切り換える機構を解除位置に保つことを特徴とする。
【０００６】
【発明の効果】
このような構成を採用した医療用診療装置によれば、電源スイッチをオンしただけの状態では、回転禁止機構により診療台を支持した回転部の回転は禁止されている。したがって、この状態で患者等が診療台にもたれ掛かることがあっても診療台は回転せず、患者等が転倒することはないので安全である。また、手動で回転部を回転したいときは手動スイッチをオンすると回転禁止機構が解除されるとともに切り換える機構が解除位置に保たれるため、回転部および診療台を任意の向きに手動で回転できる。
【０００７】
【発明の実施の形態】
以下、添付図面を参照して本発明の医療用診療台を説明する。なお、以下の説明は、本発明を歯科用診療装置に適用した実施形態に関するが、本発明の適用は歯科用診療装置に限るものでなく、広く、耳鼻科用、眼科用、産科用、婦人科用、泌尿器科用等の診療装置にも適用できるものである。
【０００８】
図１は歯科用診療装置１０を示す。歯科用診療装置１０は、基台１２と、基台１２上に配置され、鉛直軸１４に沿って昇降と回転が自在な昇降台１６と、昇降台１６上に固定された患者診療台１８とを有する。診療台１８は、患者が着座するシート２０と、バックレスト２２と、フートレスト２４を有し、バックレスト２２とフートレスト２４がシート２０に対して傾動できるようにしてある。
【０００９】
シート２０の両側には肘掛用のアームレスト２６が設けてある。アームレスト２６は、車椅子等の介護の必要な患者が診療台１８に容易に乗り降りできるように、図示する固定位置と、この固定位置から前後方向の軸２８を中心として１８０°下方に反転し、シート２０の横を開放する開放位置（患者導入位置）との間を移動できるようにしてある。また、アームレスト２６には解除機構３０が設けられ、この解除機構３０を操作することでアームレスト２６を固定位置に固定したり、固定位置から開放位置に移動できるようにしてある。
【００１０】
図２と図３は昇降台１６の回転機構３２を示す。回転機構３２において、支持部３４は基台１２の一部を構成している。支持部３４は、鉛直軸１４を中心とする外周円筒面３６を備えている。昇降台１６の一部を構成する回転部３８は、軸受４０を介して支持部３４に支持され、鉛直軸１４の周りを回転自在としてある。回転部３８は、円筒面３６の外方に突出するフランジ４２を有する。フランジ４２は鉛直軸１４と平行なピン４４を有し、回転部３８の周方向に伸びるレバー４６がピン４４を中心として水平面に沿って揺動可能に支持されている。
【００１１】
レバー４６は、回転部３８に設けたばね４８により、図３に示す矢印５０方向に付勢されている。また、レバー４６の一端側には回転モータ５２が固定され、この回転モータ５２から鉛直下方に突出した出力軸５４にローラ５６が固定されており、レバー４６の揺動によりローラ５６が円筒面３６に接離できるようにしてある。レバー４６の他端には切換モータ５８が固定され、この切換モータ５８の出力軸６０にカム６２が固定されている。カム６２は、ばね４８の付勢力を利用し、切換モータ５８の駆動に基づいて、回転部３８の円筒面６４（図２参照）に接触し得る解除位置と、この解除位置から時計周り方向に所定角度回転した位置で回転部３８の円筒面６４に接触し得る作動位置との間を移動できるようにしてあり、解除位置においてローラ５６が円筒面３６と非接触状態に保たれ、作動位置においてローラ５６が円筒面３６と接触状態に保たれるようにしてある。
【００１２】
図２に示すように、基台１２の支持部３４はフランジ６４を備えており、このフランジ６４にシリンダ６６が固定されている。シリンダ６６は、ピストンロッド６８の先端に摩擦パッド７０を備えており、シリンダ６６の駆動に基づいて、摩擦パッド７０が回転部３８の円筒面６５に接触して回転部３８の回転を禁止できるようにしてある。
【００１３】
回転モータ５２、切換モータ５８、シリンダ６６の駆動を制御する制御装置７２には、昇降台１６の適当な個所に設けた電源スイッチ７４、診療台１８に付設されるフートコントローラ７１又は操作パネル（共に図示せず）に設けた手動スイッチ７６、回転スイッチ７８が接続されている。
【００１４】
以上の構成を有する歯科用診療装置１０では、電源スイッチ７４がオフされているとき、シリンダ６６はそのピストンロッド６８を伸ばし、摩擦パッド７０が回転部３８の円筒面６４に接触しており、回転部３８及び診療台１８の回転が禁止されている。また、カム６２は解除位置に保たれ、回転モータ５２のローラ５６が基台１２の外周円筒面３６から離れている。
【００１５】
この状態は電源スイッチ７４がオンされた後も維持され、診療台１８の回転は禁止されている。診療台１８を手動で回転する場合、手動スイッチ７６をオンする。これにより、シリンダ６６が動作して摩擦パッド７０が回転部３８の円筒面６４から後退する。したがって、この状態で、手動で診療台１８を回転して任意の方向に向けることができる。手動スイッチ７６をオフすると、再びシリンダ６６が動作して摩擦パッド７０が回転部３８の円筒面６４に接触して診療台１８の回転を禁止する。
【００１６】
電源スイッチ７４がオンされている状態で回転スイッチ７８をオンすると、シリンダ６６の摩擦パッド７０が回転部３８の円筒面６４から後退する。また、切換モータ５８が起動し、カム６２を解除位置から作動位置に切り換える。これにより、ピン４４を中心にレバー４６が揺動しローラ５６が基台１２の円筒面３６に接触し、回転モータ５２の駆動に基づいて回転部３８が基台１２に対して回転する。
【００１７】
回転スイッチ７８がオフされると、再びシリンダ６６の摩擦パッド７０が回転部３８の円筒面６４に接触して回転部３８の回転を禁止する。また、切換モータ５８が動作し、カム６２を作動位置から解除位置に切り換え、ローラ５６を基台１２の円筒面３６から離す。
【００１８】
このように、上述した歯科用診療装置１０によれば、電源スイッチ７４がオンされているときでも、診療台１８の自由な回転が禁止され、手動スイッチ７６をオンしているときだけしか診療台１８は手動で回転できないようにしているので、不用意に診療台１８が回転することがない。
【００１９】
なお、上記実施形態は、単なる一例を示すものであって、基台１２に対して回転部３８を回転する機構、回転部の回転を防止する機構、ローラを接離する機構等は、上述の記載に基づいて当業者が想起し得るすべての構成を含むものと理解すべきである。
【図面の簡単な説明】
【図１】  歯科用治療装置の斜視図。
【図２】  図３に示す歯科用治療装置の回転機構のＩＩ−ＩＩ線断面図。
【図３】  歯科用治療装置の回転機構の平面図。
【符号の説明】
１０…歯科用治療装置、１２…基台、１４…鉛直軸、１６…昇降台、３２…回転機構、３４…支持部、３８…回転部、５２…回転モータ、６２…カム、６６…シリンダ、７２…制御装置、７４…電源スイッチ、７６…手動スイッチ。
【図１】
0003737315.tif 000002
【図２】
0003737315.tif 000003
【図３】
0003737315.tif 000004